(57)【要約】      （修正有）【課題】被験者に対する負担を軽減しつつ、脳波信号を高精度に計測することができる脳機能計測装置及び脳機能計測用電極を提供する。【解決手段】脳活動計測装置は、被験者の頭蓋骨内の被計測領域に対向する位置に留置され、被計測領域に光を照射する発光部２０と、被計測領域を伝搬した光を受光する受光部２１と、被計測領域を介して脳波を計測する電極２２とを有する複数のセンサユニット４と、複数のセンサユニット４と別体に設けられ、当該各センサユニット４に対して非接触で通信するとともに電力を供給する通信ユニット５と、を備える。各センサユニット４には、発光部２０、受光部２１及び電極２２に加えて、通信ユニット５との間で信号を送受信する送受信部２４と、通信ユニット５から送電された電力を受電する受電部とを含む電気回路部１５が内蔵されている。【選択図】図４
2016168104.tif 000002
【特許請求の範囲】
【請求項１】
被験者の頭蓋骨内の被計測領域に対向する位置に留置され、前記被計測領域に光を照射する発光部と、前記被計測領域を伝搬した光を受光する受光部と、前記被計測領域を介して脳波を計測する電極とを有する複数のセンサユニットと、
前記複数のセンサユニットと別体に設けられ、当該各センサユニットに対して非接触で通信するとともに電力を供給する通信ユニットと、
を備え、前記各センサユニットは、前記発光部、前記受光部及び前記電極に加えて、前記通信ユニットとの間で信号を送受信する送受信部と、前記通信ユニットから送電された電力を受電する受電部とを含む電気回路部が内蔵されている
ことを特徴とする脳活動計測装置。
【請求項２】
請求項１において、前記センサユニットは、フランジ部及び外周面に雄ねじが刻設された軸部を有するボルト形状であり、前記先端部は丸みのついた湾曲形状をなしている
ことを特徴とする脳活動計測装置。
【請求項３】
請求項１又は２において、前記通信ユニットは頭部の外部に配置される
ことを特徴とする脳活動計測装置。
【請求項４】
請求項１又は２において、前記通信ユニットは頭蓋骨と頭皮との間に配置される
ことを特徴とする脳活動計測装置。
【請求項５】
請求項１乃至３のいずれかにおいて、前記通信ユニットは、前記各センサユニットから得られた計測結果に基づいて、てんかん発作の発生の有無を予測し、てんかん発作が発生すると判定した場合に、前記電極から前記頭蓋骨内の被計測領域に対して電気刺激を与えるように制御信号を送信する
ことを特徴とする脳活動計測装置。
【請求項６】
被験者の頭蓋骨内の被計測領域から脳波及び血流を測定するセンサユニットにおいて、
フランジ部及び外周面に雄ねじが刻設された軸部を有するボルト形状であり、
前記被計測領域に接触する先端部は丸みのついた湾曲形状をなし、
前記被計測領域に光を照射する発光部と、前記被計測領域を伝搬した光を受光する受光部と、前記被計測領域を介して脳波を計測する電極とを有し、
外部装置との間で信号を送受信する送受信部と、当該外部装置から送電された電力を受電する受電部とを含む電気回路部を内蔵する
ことを特徴とするセンサユニット。
【発明の詳細な説明】
【技術分野】
【０００１】
本発明は、脳活動計測装置及びセンサユニットに関し、特にてんかん発作を検知・予防するための脳活動計測装置及びセンサユニットに関する。
【背景技術】
【０００２】
てんかんは、種々の成因によってもたらされる慢性の脳疾患であり、脳における異常神経活動、すなわち大脳ニューロンの過剰な発射に由来する反復性の発作（てんかん発作）を特徴とするものである。てんかんの発作症状は、意識障害や痙攣など様々な態様をとる。
【０００３】
そして、てんかん発作が生じると、意識を消失し、周囲の状況がわからない状態となり、患者が事故に遭うおそれがあるため、てんかん発作を事後的に検出するのではなく、事前に予測して、てんかん発作の発生を予防・抑制することが求められている。
【０００４】
近年、被験者の頭部の外側から頭皮や頭蓋骨を介して間接的に脳波信号を取得する非侵襲型の計測方法のみならず、被験者の頭皮の切開など外科的手術を伴い、電極等を直接的に脳に接触させて脳波信号を取得する侵襲型の計測方法が知られている（例えば特許文献１参照）。
【０００５】
これら侵襲型の計測方法によれば、非侵襲型の計測方法と比較して、通常の活動を行っている状態の被験者の脳波信号を、長時間にわたって高精度に計測することができる。さらにこれらの侵襲型の計測装置は、測定した脳波信号を無線通信により長期間に亘り安定的にモニタリングする工夫も施されている（例えば特許文献２参照）。
【先行技術文献】
【特許文献】
【０００６】
【特許文献１】特開２０１４−７９３８７号公報
【特許文献２】国際公開第２０１４／０９７４５０号公報
【発明の概要】
【発明が解決しようとする課題】
【０００７】
しかし、このような侵襲型の計測装置は、被験者の頭部内に電極を留置させる際に、その頭皮を切開し、さらに頭蓋骨の一部を剥がす必要があるため、被験者に対する負担が大きいという問題があった。
【０００８】
本発明は、上記従来の実状に鑑みてなされたものであり、被験者に対する負担を軽減しつつ、脳波信号を高精度に計測することができる脳活動計測装置及び脳活動計測用電極を提供することを課題とする。
【課題を解決するための手段】
【０００９】
本発明の一態様による脳活動計測装置は、被験者の頭蓋骨内の被計測領域に対向する位置に留置され、前記被計測領域に光を照射する発光部と、前記被計測領域を伝搬した光を受光する受光部と、前記被計測領域を介して脳波を計測する電極とを有する複数のセンサユニットと、前記複数のセンサユニットと別体に設けられ、当該各センサユニットに対して非接触で通信するとともに電力を供給する通信ユニットと、を備え、前記各センサユニットは、前記発光部、前記受光部及び前記電極に加えて、前記通信ユニットとの間で信号を送受信する送受信部と、前記通信ユニットから送電された電力を受電する受電部とを含む電気回路部が内蔵されていることを特徴とするものである。
【００１０】
本発明の一態様による脳活動計測装置において、前記センサユニットは、フランジ部及び外周面に雄ねじが刻設された軸部を有するボルト形状であり、前記先端部は丸みのついた湾曲形状をなしていることを特徴とする。
【００１１】
本発明の一態様による脳活動計測装置において、前記通信ユニットは頭部の外部に配置されることを特徴とする。
【００１２】
本発明の一態様による脳活動計測装置において、前記通信ユニットは頭蓋骨と頭皮との間に配置されることを特徴とする。
【００１３】
本発明の一態様による脳活動計測装置において、前記通信ユニットは、前記各センサユニットから得られた計測結果に基づいて、てんかん発作の発生の有無を予測し、てんかん発作が発生すると判定した場合に、前記電極から前記頭蓋骨内の被計測領域に対して電気刺激を与えるように制御信号を送信することを特徴とする。
【００１４】
本発明の一態様による被験者の頭蓋骨内の被計測領域から脳波及び血流を測定するセンサユニットにおいて、フランジ部及び外周面に雄ねじが刻設された軸部を有するボルト形状であり、前記被計測領域に接触する先端部は丸みのついた湾曲形状をなし、前記被計測領域に光を照射する発光部と、前記被計測領域を伝搬した光を受光する受光部と、前記被計測領域を介して脳波を計測する電極とを有し、外部装置との間で信号を送受信する送受信部と、当該外部装置から送電された電力を受電する受電部とを含む電気回路部を内蔵することを特徴とする。
【発明の効果】
【００１５】
本発明によれば、被験者に対する負担を軽減しつつ、脳活動を高精度に計測することができる。
【図面の簡単な説明】
【００１６】
【図１】本発明の実施形態に係る脳活動計測システムの概略構成を模式的に示す図である。
【図２】（ａ）はセンサユニットの側面図であり、（ｂ）はセンサユニットの長手方向に沿った断面図である。
【図３】センサユニットの取り付け例を示す図である。
【図４】センサユニットと通信ユニットとの接続関係を示すブロック構成図である。
【図５】センサユニットの内部構成を示す部分的断面図である。
【図６】血流計測方法の原理を説明するための図である。
【図７】レーザ光の波長と、血液の酸素飽和度を変えた場合の光の吸収状態の関係を示すグラフである。
【図８】脳の血流から脳活動を計測する場合の原理を説明するための図である。
【図９】変形例のセンサユニットの取り付け例を示す図である。
【発明を実施するための形態】
【００１７】
以下、本発明の実施の形態を図面に基づいて説明する。
【００１８】
〔脳活動計測装置の構成〕
図１は本発明による脳活動計測システムの一実施例の概略構成を模式的に示す図である。図１に示されるように、脳活動計測システム１は、脳活動計測装置２と、外部ユニット３とを有する。
【００１９】
脳活動計測装置２は、被験者の頭蓋内に留置されるマトリックス状に配された複数のセンサユニット４（４１〜４ｎ）と、頭皮上に装着自在に配置された通信ユニット５とを有し、各センサユニット４（４１〜４ｎ）により検知された脳波信号は無線送信され、頭皮上に装着された通信ユニット５にて受信される。
【００２０】
通信ユニット５は、帽子の一部のようなシート形状に形成されたシリコン樹脂等の絶縁材からなるベース部６と、当該ベース部６の内側に配置された複数の受信ユニット７（７１〜７ｎ）と、当該各受信ユニット７（７１〜７ｎ）に導電接続されたコントロールユニット８とから構成されている。
【００２１】
複数の受信ユニット７（７１〜７ｎ）は、複数のセンサユニット４（４１〜４ｎ）と同一パターンでマトリックス状に配置されており、ベース部６内に形成された所定の回路パターンを有するフレキシブル配線板を介してコントロールユニット８と接続されている。
【００２２】
コントロールユニット８は、制御装置９と、メモリ１０と、無線通信装置１１と、充電式のバッテリ１２とを有する。制御装置９は、被験者の脳の活動に伴う脳の各領域における血流及び脳波を計測し、この計測データをメモリ１０に格納すると共に、計測データに基づいて各領域の計測ポイントにおける活動レベルを判定する。
【００２３】
また、制御装置９は、脳活動計測装置２により計測された各計測ポイントの血流計測データを無線通信装置１１より外部ユニット３に送信する。外部ユニット３は、データベース１３と、無線通信装置１４とを有する。コントロールユニット８から送信された計測データは、外部ユニット３の無線通信装置１４に受信され、データベース１３に格納される。また、データベース１３においては、計測データに添付された各計測ポイントを識別するためのアドレスコード及び計測日時を示すタイムデータに基づいて各血流計測データを時系列の順に格納する。
【００２４】
〔センサユニットの構成〕
図２（ａ）はセンサユニット４（４１〜４ｎ）の側面図であり、図２（ｂ）はセンサユニット４（４１〜４ｎ）の長手方向に沿った断面図である。センサユニット４は、フランジ部４ａ、軸部４ｂ、及び先端部４ｃを有するボルト形状の本体部４Ｍに、後述の電気回路部１５（図４）が内蔵された構成からなる。本体部４Ｍの軸部４ｂの外周面には雄ネジが刻設されている。軸部４ｂの長さＬは被験者の頭蓋骨の厚みと同程度であり、軸部４ｂの外径は０．５〜２ｍｍ程度が好ましい。先端部４ｃの径は軸部４ｂの外径以下であり、丸みのついた湾曲形状をなし、先端に向かって徐々に細くなっている。フランジ部４ａの外径は、軸部４ｂの外径よりもやや大きくなっており、後端側にプラスドライバ等の工具が係合できる係合溝４ｄが設けられている。
【００２５】
軸部４ｂは、隣接するねじ山の頂点を結ぶ直線が中心軸線と平行になるストレート形状でもよく、先端に向かって徐々に細くなるテーパ形状でもよい。本体部４Ｍは、生体親和性（生体適合性）、導電性及び非磁性の全てを満たす材料からなり、例えば、チタン、チタン合金、プラチナ等で構成される。
【００２６】
図３を用いて各センサユニット４（４１〜４ｎ）の取り付け方法を説明する。まず、被験者の頭部Ｈにおいて、電極取付箇所の頭皮Ｂｒ１の外側から頭蓋骨Ｂｒ２を貫通する貫通孔を形成する。貫通孔の内径は、本体部の軸部４ｂの外径よりもわずかに小さい程度とする。次に、プラスドライバ等の工具を用いて、この貫通孔に本体部４Ｍをねじ込む。軸部４ｂの長さＬが頭蓋骨Ｂｒ２の厚みと同程度となっているため、本体部４Ｍのフランジ部４ａが頭蓋骨Ｂｒ２の外表面に当接するまで本体部４Ｍをねじ込むと、先端部４ｃは頭蓋骨Ｂｒの内側の脳硬膜Ｂｒ３に押圧接触する。
【００２７】
先端部４ｃは、脳硬膜Ｂｒ３に押圧接触するが、そのねじ込み度合いは、単に膜表面に接触する程度から脳硬膜Ｂｒ３が僅かに凹む程度まで押圧力を被験者の状況に応じて自由に調整しても良い。ただし、先端部４ｃが脳硬膜Ｂｒ３を貫通しないように、すなわち、くも膜Ｂr４、脳軟膜Ｂｒ５及び大脳皮質Ｂｒ６のいずれにもが到達しないように本体部４Ｍのねじ込み度合い及び押圧力を調整する。
【００２８】
各センサユニット４（４１〜４ｎ）における本体部４Ｍの先端部４ｃが脳硬膜Ｂｒ３に接触押圧しているため、頭蓋骨Ｂｒ２や頭皮Ｂｒ１を介して計測する場合と比較して、空間分解能が高く、脳波信号を高精度に計測することができる。また、頭蓋骨Ｂｒ２の一部を剥がして再度取り付けるといった大掛かりな外科的手術は不要であるため、被験者に対する負担を軽くすることができる。さらに、センサユニット４（４１〜４ｎ）をねじ込むことで、水密性を高くしてセンサユニット４（４１〜４ｎ）を頭蓋骨Ｂｒ２に取り付けることができる。
【００２９】
〔センサユニットと通信ユニットとの接続関係〕
図４は脳波活動測定装置２における複数のセンサユニット４（４１〜４ｎ）と通信ユニット５との接続関係を示すブロック図である。図４に示されるように、コントロールユニット８内の制御装置９は、ベース部６の内部に形成されたフレキシブル配線板の回路パターン及びケーブルを介して、複数の受信ユニット７（７１〜７ｎ）と接続されている。
【００３０】
各センサユニット４（４１〜４ｎ）における電気回路部１５は、発光部２０と、受光部２１と、脳波計測用電極２２と、センサ制御部２３と、送受信部２４と、電力供給部２５とを有する。センサ制御部２３は、通信ユニット５内の制御装置９からの制御信号を受信することにより各計測ポイントでの血流及び脳波を計測すると共に、計測値を制御装置９に送信する。
【００３１】
電気回路部１５において電力供給部２５は、所定周波数の電磁波をアンテナから放射する一方、当該アンテナを介して電磁波を受けて電力を生成し、これを電気回路部１５の各部に供給する。すなわち電気回路部１５は自らバッテリなどの電源を有さず、外部からアンテナを介して受ける電磁波に基づいて必要な電力を生成する、いわゆるパッシブ型ＩＣタグと同様の回路を有している。
【００３２】
送受信部２４は、センサ制御部２３による制御信号を所定形式（アンテナを通じた電波伝送に適した周波数帯域など）に変調してアンテナを介して送出する。また送受信部２４はアンテナを介して受信した信号を復調して元の制御信号を抽出し、センサ制御部２３はこの制御信号に基づいて各種動作を制御する。
【００３３】
すなわちセンサ制御部２３は、脳波計測用電極２２で拾われた電気信号や受光部で光電変換により生成された電気信号を増幅し、必要に応じて周波数多重や時分割多重などの多重化を行った後、所定形式に変調してアンテナを介して送出する。
【００３４】
通信ユニット５における各受光ユニット７（７１〜７ｎ）は、送受信部２６を有し、アンテナを介して対応するセンサユニット４（４１〜４ｎ）から送出される電波を受信し、復調した後にコントロールユニット８内の制御装置９に送出する。そして制御装置９は、各脳波計測用電極２２で検出された脳波信号を分離して取り出す。
【００３５】
コントロールユニット８において、制御装置９は、各センサユニット４（４１〜４ｎ）に対応する計測ポイントのアドレス順に計測指示コード（アドレスコード、血流計測コード、脳波計測コードなど）を送信すると共に、各計測ポイントＰ１〜Ｐｎからの計測データ（血流値、脳波の計測値）を受信すると、計測データに基づいて脳活性度を判定する。
【００３６】
〔センサユニットの内部構造〕
図５に各センサユニット４（４１〜４ｎ）における本体部４Ｍ及び電気回路部１５の内部構造を部分的に示す。電気回路部１５は、頭部表面にレーザ光（出射光）Ａを照射するレーザダイオードからなる発光部２０と、受光した透過光量に応じた電気信号を出力する受光素子からなる受光部２１と、発光部２０から被計測領域に向けて照射されたレーザ光に対する屈折率と、被計測領域を通過して入射され受光部に進む入射光Ｂ、Ｃの屈折率とが異なるように構成されたホログラムからなる光路分離部材３０とを有する。
【００３７】
また、光路分離部材３０の外周には、脳波を計測するための脳波計測用電極２２が嵌合しており、脳波計測用電極２２は円筒形状に形成され、光路分離部材３０の先端面から側面に形成されている。脳波計測用電極２２の上端は、発光部２０及び受光部２１とともにそれぞれセンサ制御部２３と電気的に接続されている。
【００３８】
脳波計測用電極２２は、先端で内側に折り曲げられた接触子２２Ｔが光路分離部材３０の端面よりも突出している。そのため、光路分離部材３０の端面が被計測領域に当接したとき、接触子２２Ｔも当該被計測領域に接触して脳波計測が可能になる。
【００３９】
また、脳波計測用電極２２は、光路分離部材３０の外周及び先端縁部に蒸着やめっき等の薄膜形成法により導電性膜を被覆する方法で形成することも可能である。さらに、脳波計測用電極２２の材質として、例えば、ＩＴＯ（Ｉｎｄｉｕｍ
Ｔｉｎ Ｏｘｉｄｅ）と呼ばれる酸化インジウム錫による透明な導電性膜を光路分離部材の外周及び先端縁部に形成することも可能である。この透明導電性膜で脳波計測用電極２２を形成した場合には、脳波計測用電極２２が透光性を有することになるため、光路分離部材３０の外周及び先端面全体を脳波計測用電極２２で覆うことが可能になる。
【００４０】
このセンサユニット４（４１〜４ｎ）において、本体部４Ｍの先端部から光路分離部材３０の端面と脳波計測用電極２２の接触子２２Ｔが露出または突出するように、電気回路部１５が本体部４Ｍに内蔵されている。この本体部４Ｍの先端部は、その先端から光路分離部材３０及び脳波測定用電極２２の接触子２２Ｔが露出しているが、当該先端全体として丸みを帯びた湾曲形状をなしており、当該先端部に当接押圧する人体部位（頭部の計測領域である脳硬膜）に対して損傷を与えないように加工されている。
【００４１】
また、通常では、脳の断層写真を撮影する等して血流の状態を計測しながら脳波を計測することはできないが、各センサユニット４（４１〜４ｎ）に脳波測定用電極２２を設けることにより、血流と脳波を同時に計測することが可能になり、脳内の血流と脳波との相関関係を詳しく分析することが可能になる。
【００４２】
血流計測を行なう際、コントロールユニット８の制御装置９は、外部ユニット３からの指令または予め設定されたプログラムに基づいて、多数配列されたセンサユニット４（４１〜４ｎ）の中からアドレス順に任意のセンサユニット４（４１〜４ｎ）を選択し、当該センサユニット４（４１〜４ｎ）の発光部２０からレーザ光を発光させる。このとき、発光部２０から出射されるレーザ光は、酸素飽和度の影響を受けない波長λ１（λ１≒８０５ｎｍ）と、酸素飽和度の影響を受ける波長λ２（λ２≒６８０ｎｍ）が出力される。
【００４３】
また、各センサユニット４（４１〜４ｎ）は、本体部４Ｍの先端部（光路分離部材３０の端面）が頭部の被計測領域（脳硬膜）に当接した状態に保持されている。センサユニット４（４１〜４ｎ）の発光部２０から出射されるレーザ光は、光路分離部材３０を透過して頭部の脳硬膜に対して垂直方向から脳内部に向けて入射される。脳内部においては、レーザ光が脳中心部に向けて進行すると共に、レーザ光が入射位置を基点として周辺に向けて伝搬する。このレーザ光の脳内の光伝搬経路は、側方からみると円弧状に形成され、頭部の血管を通過して脳硬膜に戻る。
【００４４】
このように光伝搬経路を通過した光は、血管を流れる血液に含まれる赤血球の量または密度に応じた透過光量に変化しながら受光側のセンサユニット４（４１〜４ｎ）に到達する。また、レーザ光は、脳内部を伝搬する過程で透過光量が徐々に低下するため、レーザ光が入射位置の基点から離れる程、距離に応じて受光部２１の受光レベルが低下する。従って、レーザ光の入射位置からの離間距離よっても受光される透過光量が変化する。
【００４５】
複数のセンサユニット４（４１〜４ｎ）において、任意の発光側基点となるセンサユニッ４ｋ（１≦ｋ≦ｎ）自身と、その隣りのセンサユニット４k＋１と、さらに跨いだ隣りのセンサユニット４ｋ＋２とは、受光側基点（計測ポイント）となる。
【００４６】
光路分離部材３０は、例えば、透明なアクリル樹脂の密度分布を変化させることで、レーザ光を直進させ、入射光を隣接及び隣々する各センサユニット内の受光部２１に導くように形成されている。また、光路分離部材３０は、発光部２０から出射されたレーザ光を基端側（フランジ部４a側）から先端側に透過させる出射側透過領域と、脳内を伝搬した光を先端側から基端側に透過させる入射側透過領域と、出射側透過領域と入射側透過領域との間に形成された屈折領域とを有する。
【００４７】
この屈折領域は、レーザ光を透過させるが、血流を通過した入射光を反射させる性質を有する。屈折領域は、例えば、アクリル樹脂の密度を変化させたり、この領域に金属薄膜を設けたり、金属の微粒子を分散させることにより形成される。これにより、光路分離部材３０の先端から入射された光は全て受光部２１に集光される。
【００４８】
〔血流計測方法〕
ここで、血流計測方法の原理について説明する。図６は血流計測方法の原理を説明するための図である。
【００４９】
図６に示されるように、外部から血液に対しレーザ光を照射すると、血液層に入射したレーザ光は、通常の赤血球による反射散乱光成分、及び付着血栓による反射散乱光成分の両成分の光として、血液中を透過して進行する。
【００５０】
光が血液層を透過する過程において受ける影響は、血液の状態によって刻々と変化するため、透過光量（反射光量としてもよい）を連続的に計測し、その光量変化を観測することによりさまざまな血液の性質の変化を観察することが可能となる。
【００５１】
脳の活動が活発になると、脳内での酸素消費量が増加するため、酸素を運搬する赤血球のヘマトクリット及び血液の酸素飽和度に起因する血流の状態が光量の変化となって現れる。
【００５２】
ここで、ヘマトクリット（Ｈｃｔ：単位体積当たりの赤血球の体積比、即ち、単位体積当たりの赤血球の体積濃度を示す。Ｈｔとも表記する。）等の変化も同様にヘモグロビン密度の変化に関係する要因であり、光量変化に影響を及ぼす。本実施例における基本的な原理は、このようにレーザ光を用いた、血流による光路・透過光量の変化で血流の状態を計測し、さらには脳内の血流状態から脳活動状態を計測する点である。
【００５３】
血液の光学的特性は、血球成分（特に赤血球の細胞内部のヘモグロビン）によって決定される。また、赤血球は、ヘモグロビンが酸素と結合しやすい性質を有しているので、脳細胞に酸素を運搬する役目も果たしている。そして、血液の酸素飽和度は、血液中のヘモグロビンの何％が酸素と結合しているかを表す数値である。また、酸素飽和度は動脈血液中の酸素分圧（ＰａＯ２）と相関があり、呼吸機能（ガス交換）の重要な指標である。
【００５４】
酸素分圧が高ければ酸素飽和度も高くなることが分かっており、酸素飽和度が変動すると、血液を透過した光の透過光量も変動する。そのため、血流の計測を行なう際は、酸素飽和度の影響を除くことでより正確な計測が可能になる。
【００５５】
また、酸素分圧（ＰａＯ２）に影響を与えている因子としては、肺胞換気量があり、さらには大気圧や吸入酸素濃度（ＦｉＯ２）などの環境、換気／血流比やガス拡散能、短絡率などの肺胞でのガス交換がある。
【００５６】
コントロールユニット８の制御装置９は、上記センサユニット４（４１〜４ｎ）の受光部２１によって生成された透過光量（光強度）に応じた信号の処理を行なう演算手段を有する。この演算手段では、後述するようにセンサユニット４（４１〜４ｎ）の受光部２１から出力された計測値に基づいて血流状態を検出するための演算処理を行なう。
【００５７】
発光部２０のレーザ光は、所定時間間隔（例えば、１０Ｈｚ〜１ＭＨｚ）で間欠的に照射されるパルス光又は連続光として照射する。この場合、パルス光を用いる場合には、パルス光の点滅する周波数である点滅周波数を、血液流速に応じて決定し、連続的に又は該点滅周波数の２倍以上の計測サンプリング周波数で計測する。また、連続光を用いる場合には、計測サンプリング周波数を、血液流速に応じて決定して計測する。
【００５８】
血液中のヘモグロビン（Ｈｂ）は、呼吸をすることにより肺で酸素と化学反応を生じてＨｂＯ２となり血液中に酸素を取り込むこととなるが、呼吸の状態等により、血液に酸素を取り込んだ度合（酸素飽和度）が微妙に異なる。すなわち、血液に光を照射すると、この酸素飽和度によって光の吸収率が変化するという現象を発見し、この現象は上記レーザ光による血流の計測において外乱要素となるため、酸素飽和度による影響を除去することにした。
【００５９】
図７はレーザ光の波長と、血液の酸素飽和度を変えた場合の光の吸収状態の関係を示すグラフである。体内では赤血球に含まれるヘモグロビンは、酸素と結合した酸化ヘモグロビン（ＨｂＯ２：グラフＩ）と酸化されていないヘモグロビン（Ｈｂ：グラフＩＩ）に分けられる。この２つの状態では、光に対する光吸収率が大きく異なる。例えば、酸素をたっぷりと含んだ血液は鮮血として色鮮やかである。一方、静脈血は酸素を手放しているのでどんよりと黒ずんでいる。これらの光吸収率の状態は、図７のグラフＩ，ＩＩに示すように広い光の波長領域で変化している。
【００６０】
この図７のグラフＩ，ＩＩから特定の波長を選択することにより、生体内の酸素代謝などにより赤血球中のヘモグロビンの酸素飽和度が大きく変動しても、光吸収率が影響を受けないで血液に光を照射して血流を計測できることが分かる。
【００６１】
赤血球中のヘモグロビンの酸素飽和度によらず、ある波長領域では光吸収率が小さくなっている。これにより、光が波長λによって血液層を通過しやすいか否かが決まることになる。従って、所定の波長領域（例えば、λ＝８００ｎｍ近辺から１３００ｎｍ近辺）の光を用いれば、酸素飽和度の影響を小さく抑制して血流を計測することが可能となる。
【００６２】
よって、レーザ光の波長領域は、ほぼ６００ｎｍ近辺から１５００ｎｍを利用し、これにより、ヘモグロビン（Ｈｂ）の光吸収率が実用上十分低くかつ、この領域に等吸収点Ｘを含むため、２波長以上の計測点を活用し、計算上、等吸収点とみなせる。つまり、酸素飽和度の影響を受けない仕様とすることが可能となる。尚、それ以外の波長領域、例えば、λ＝６００ｎｍ未満では、光吸収率が高くなりＳ／Ｎが低下し、λ＝１５００ｎｍをこえた波長では、受光部の受光感度が十分でなく血液中の他の成分等の外乱が影響し精度のよい計測ができなくなる。
【００６３】
このため、本実施例では、発光部２０に波長可変半導体レーザからなる発光素子を用い、発光部２０から発光されるレーザ光の波長を、グラフＩ，ＩＩで等吸収点Ｘとなるλ１＝８０５ｎｍ（第１の光）と、グラフＩにおいて光吸収率が最も低い波長λ２＝６８０ｎｍ（第２の光）の２種類に設定する。
【００６４】
ここで、レーザ光が光伝搬経路を介して伝搬した光を受光する場合の透過光量に基づく赤血球濃度Ｒ，Ｒｐ，Ｒｐｗの検出方法について説明する。
【００６５】
従来の計測方法で行なわれた１点１波長方式を用いた場合の赤血球濃度Ｒの演算式（式１）は、次式のように表せる。
Ｒ＝ｌｏｇ１０（Ｉｉｎ／Ｉｏｕｔ）＝ｆ（Ｉｉｎ，Ｌ，Ｈｔ）…（式１）
（式１）の方法では、赤血球濃度が発光部２０から出射されたレーザ光の入射透過光量Ｉｉｎと、発光部２０と受光部２１との距離（光路長）Ｌと、前述したヘマトクリット（Ｈｔ）との関数になる。そのため、（式１）の方法で赤血球濃度を求める際は、３つの因子によって赤血球濃度が変動するため、赤血球濃度を正確に計測することが難しい。
【００６６】
本実施例による２点１波長方式を用いた場合の赤血球濃度Ｒｐの演算式は、次式のように表せる。
Ｒｐ＝ｌｏｇ１０｛Ｉｏｕｔ／（Ｉｏｕｔ−ΔＩｏｕｔ）｝＝Φ（ΔＬ，Ｈｔ）…（式２）
（式２）の方法では、レーザ光から距離の異なる２点（センサユニットの各受光部）で受光するため、赤血球濃度は２つの受光部間距離ΔＬと、前述したヘマトクリット（Ｈｔ）との関数になる。そのため、（式２）の方法で赤血球濃度を求める際は、２つの因子のうち受光部間距離ΔＬが予め分かっているので、赤血球濃度がヘマトクリット（Ｈｔ）を係数とした値として計測される。よって、この演算方法では、赤血球濃度をヘマトクリット（Ｈｔ）に応じた計測値として正確に計測することが可能になる。
【００６７】
さらに、本実施例の変形例による２点２波長方式を用いた場合の赤血球濃度Ｒｐｗの演算式は、次式のように表せる。
Ｒｐｗ
＝［ｌｏｇ１０｛Ｉｏｕｔ／（Ｉｏｕｔ−ΔＩｏｕｔ）｝λ１］／［ｌｏｇ１０｛Ｉｏｕｔ／（Ｉｏｕｔ−ΔＩｏｕｔ）｝λ２］
＝ξ（Ｈｔ）・・・（式３）
（３式）の方法では、発光部２０から出射されるレーザ光の波長を異なるλ１，λ２（本実施例では、λ１＝８０５ｎｍ、λ２＝６８０ｎｍに設定する）とすることで赤血球濃度をヘマトクリット（Ｈｔ）のみの関数として計測される。よって、この演算方法によれば、赤血球濃度をヘマトクリット（Ｈｔ）に応じた計測値として正確に計測することが可能になる。
【００６８】
〔血流に基づく脳活動計測原理〕
図８は脳の血流から脳活動を計測する場合の原理を説明するための図である。図８に示されるように、脳及び脊髄は、脳脊髄膜（硬膜、くも膜、柔膜の３層構造）に包まれており、当該脳脊髄膜は頭蓋骨及び頭皮で覆われている。  
【００６９】
各センサユニット４（４１〜４ｎ）は、光路分離部材３０の先端面（センサ面）を硬膜に接触させて血流の計測を行なう。センサユニット４kの発光部２０から出射されたレーザ光は、脳脊髄膜（脳硬膜Ｂr３、くも膜Ｂr４、脳軟膜Ｂr５）及び髄液（くも膜下腔、脳室及び脳槽に存在）を透過して脳内部（大脳皮質Ｂr６）に進行する。そして、頭部に照射された光は、図８中破線で示すような円弧状パターンＣＰで放射方向（深さ方向及び半径方向）に伝搬する。
【００７０】
この光の伝搬は、レーザ光が照射された基点から半径方向に離間するほど光伝搬経路が長くなって光透過率が低下するため、発光側のセンサユニット４kに所定距離離間して隣接されたセンサユニット４k＋１の受光レベル（透過光量）は強く、その次はその隣りに所定距離離間して設けられたセンサユニット４k＋２の受光レベル（透過光量）がセンサユニット４k＋１の受光レベルより弱く検出される。また、発光側のセンサユニット４kの受光部でも、脳からの光を受光する。これらの複数のセンサユニット４（４１〜４ｎ）で受光された光強度に応じた検出信号をマッピング処理することで血流の変化に応じた光強度分布が縞模様の図形（等高線）として得られる。
【００７１】
また、各センサユニット４（４１〜４ｎ）から出力された検出信号（受光した透過光量に応じた信号）を前述した（式２）または（式３）のＩｏｕｔとすることで赤血球濃度をヘマトクリット（Ｈｔ）に応じた計測値（酸素飽和度に影響されない値）として正確に計測することが可能になる。
【００７２】
〔てんかん予防方法〕
本実施形態における脳活動計測システム１では、脳波活動計測装置２は、複数のセンサユニット４（４１〜４ｎ）を用いて、被験者の血流及び脳波を同時に計測することにより、被験者のてんかん発作を事前に予測することが可能である。さらに脳波活動計測装置２は、各センサユニット４（４１〜４ｎ）の脳波計測用電極２２を脳波信号の検知のみならず、電気刺激するのにも用いることにより、てんかん発作の発生前に刺激を与えることで発作の発生を防止したり、発作の症状を和らげたりすることもできる。
【００７３】
コントロールユニット８の制御装置９は、脳波計測用電極２２により測定された脳波から、被験者にてんかん発作の発生が近づいているか否かを判定する。制御装置９は、てんかん発作が近いと判定した場合、刺激信号を生成し、脳波計測用電極２２を介して被験者の頭部内に電気刺激を与える。
【００７４】
脳波計測用電極２２から与えられた電気刺激は、頭部内を伝搬し、例えば迷走神経を刺激する。迷走神経が刺激されることにより、てんかん発作の発生が抑制される。
【００７５】
〔変形例〕
上記実施形態では、各通信ユニット７（７１〜７ｎ）を頭皮Ｂr１の外側に配置する例（図３）について説明したが、図９に示すように、頭皮Ｂr１の内側、すなわち頭皮Ｂr１と頭蓋骨Ｂr２との間に通信ユニット５０（５０１〜５０ｎ）を配置するようにしてもよい。この場合、通信ユニット５０（５０１〜５０ｎ）は、頭皮Ｂr１内に留置されるため、図３の通信ユニット７の構成に加えて、コントロールユニット８と同様の構成回路をそれぞれ内蔵する必要がある。従って各通信ユニット５０（５０１〜５０ｎ）ごとに制御装置９を有し、それぞれ外部ユニット３と通信するようになされている。
【００７６】
なお、本発明は上記実施形態そのままに限定されるのもではなく、実施段階ではその要旨を逸脱しない範囲で構成要素を変形して具体化できる。また、上記実施形態に開示されている複数の構成要素の適宜な組合せにより、種々の発明を形成できる。例えば、実施形態に示される全構成要素からいくつかの構成要素を削除してもよい。さらに、異なる実施形態にわたる構成要素を適宜組み合わせてもよい。
【００７７】
また本発明の技術は、てんかん以外の運動疾患（振戦、ジストニア）、うつ、神経変性疾患、頭痛・偏頭痛、難治性疼痛、リハビリテーション、機能再建の分野にも適用可能となる。
【符号の説明】
【００７８】
１  脳活動計測システム
２  脳活動計測装置
３  外部ユニット
４（４１〜４ｎ）  センサユニット
５  通信ユニット
６  ベース部
７（７１〜７ｎ）、５０（５０１〜５０ｎ）  受信ユニット
８  コントロールユニット
９  制御装置
１０  メモリ
１１、１４  無線通信装置
１３  データベース
１５  電気回路部
２０  発光部
２１  受光部
２２  脳波計測用電極
２３  センサ制御部
２４、２６  送受信部
２５  電力供給部
【図１】
2016168104.tif 000003
【図２】
2016168104.tif 000004
【図３】
2016168104.tif 000005
【図４】
2016168104.tif 000006
【図５】
2016168104.tif 000007
【図６】
2016168104.tif 000008
【図７】
2016168104.tif 000009
【図８】
2016168104.tif 000010
【図９】
2016168104.tif 000011